【手続補正書】
【提出日】平成20年8月21日(2008.8.21)
【手続補正１】
【補正対象書類名】明細書
【補正対象項目名】特許請求の範囲
【補正方法】変更
【補正の内容】
【特許請求の範囲】
【請求項１】便器本体の上面背後部に取付けられ、人体の局部を温水にて洗浄する洗浄機能部と、洗浄した局部を温風にて乾燥する乾燥機能部若しくは便器本体内の臭気を脱臭する脱臭機能部と、をケーシングおよびカバー体で形成された外装に収容して構成した衛生洗浄装置において、前記洗浄機能部の側方に乾燥機能部若しくは脱臭機能部を配置し、前記乾燥機能部若しくは脱臭機能部の側面に前記洗浄機能部とを区画する防湿壁を形成し、少なくとも温水の温度及び温水の噴出量を制御するためのコントローラを、前記防湿壁よりも乾燥機能部若しくは脱臭機能部側に配置させたことを特徴とする衛生洗浄装置。
【請求項２】便器本体の上面背後部に取付けられ、人体の局部を温水にて洗浄する洗浄機能部と、洗浄した局部を温風にて乾燥する乾燥機能部および便器本体内の臭気を脱臭する脱臭機能部と、をケーシングおよびカバー体で形成された外装に収容して構成した衛生洗浄装置において、前記洗浄機能部の側方には、前記脱臭機能部および上部に前記脱臭機能部を設けた乾燥機能部が配置され、前記乾燥機能部および脱臭機能部の側面に前記洗浄機能部とを区画する防湿壁を形成し、少なくとも温水の温度及び温水の噴出量を制御するためのコントローラを、前記防湿壁よりも乾燥機能部および脱臭機能部側に配置させたことを特徴とする衛生洗浄装置。
【請求項３】前記洗浄機能部へ温水を供給する熱交換ユニットと、前記コントローラとを、前記防湿壁を境にして区画されるように配置されていることを特徴とする請求項２記載の衛生洗浄装置。
【請求項４】前記脱臭機能部は、乾燥機能部下部のケーシングに開口した空気の吸気口と連通して乾燥機能部にその温風排出ダクトと区画して形成した吸気ダクトと、便座側方の袖部に開口した脱臭空気の排気口と連通し、かつ、前記吸気ダクトとは脱臭装置を介挿して連通する排気ダクトとを具備して乾燥機能部の上部に取付けたことを特徴とする請求項２または３記載の衛生洗浄装置。
【請求項５】前記乾燥機能部は、前記脱臭機能部の吸気ダクトと併設して温風排出ダクトを備え、この温風排出ダクトの前面下部に、洗浄ノズルの先端等を洗浄する洗浄水の給水チューブと、バキュームブレーカーからの溢流水を便器本体に流下する排水チューブとを脱落不能に配管支持する係合支持手段を具備して形成したことを特徴とする請求項２ないし４いずれか１つに記載の衛生洗浄装置。
【請求項６】前記脱臭機能部に具備した脱臭装置は、脱臭部材を収容したゴム等弾力性に富む部材からなる収容容器を、一方の開口端を吸気ダクトに嵌合し、他方の開口端を排気ダクトに着脱自在に支着して取付けるようにしたことを特徴とする請求項４記載の衛生洗浄装置。
【請求項７】前記脱臭機能部の吸気ダクトの上端には、電気配線を前記吸気ダクトの壁面に沿って単独、あるいは、束ねた状態で係脱自在に掛止する掛止手段を備えたことを特徴とする請求項４または６記載の衛生洗浄装置。
【請求項８】前記乾燥機能部の温風排出ダクトの後背部上端には、コントローラを構成する電子回路部品とともにプリント基板に実装したサージ吸収器の保護壁を一対所定の間隔を空けて形成したことを特徴とする請求項５記載の衛生洗浄装置。
【請求項９】前記一対の保護壁間に、コントローラから延出する電気配線を介挿し、前記保護壁間において電気配線を束ねた状態で整列配線させたことを特徴とする請求項８記載の衛生洗浄装置。
【請求項１０】前記脱臭機能部の排気ダクトには、排気口と連通する便座袖部の開口部と気密に結合する結合壁を形成したことを特徴とする請求項４記載の衛生洗浄装置。
【請求項１１】ケーシングに開口されて前記脱臭機能部の吸気ダクトと連通する空気の吸気口は、必要に応じてフィルタ、あるいは、閉鎖板を取外し自在に具備したことを特徴とする請求項４記載の衛生洗浄装置。
【手続補正２】
【補正対象書類名】明細書
【補正対象項目名】０００７
【補正方法】変更
【補正の内容】
【０００７】
【課題を解決するための手段】
請求項１記載の発明は、便器本体の上面背後部に取付けられ、人体の局部を温水にて洗浄する洗浄機能部と、洗浄した局部を温風にて乾燥する乾燥機能部若しくは便器本体内の臭気を脱臭する脱臭機能部と、をケーシングおよびカバー体で形成された外装に収容して構成した衛生洗浄装置において、前記洗浄機能部の側方に乾燥機能部若しくは脱臭機能部を配置し、前記乾燥機能部若しくは脱臭機能部の側面に前記洗浄機能部とを区画する防湿壁を形成し、少なくとも温水の温度及び温水の噴出量を制御するためのコントローラを、前記防湿壁よりも乾燥機能部若しくは脱臭機能部側に配置させたことを特徴とする。
【手続補正３】
【補正対象書類名】明細書
【補正対象項目名】０００８
【補正方法】変更
【補正の内容】
【０００８】
請求項２記載の発明は、便器本体の上面背後部に取付けられ、人体の局部を温水にて洗浄する洗浄機能部と、洗浄した局部を温風にて乾燥する乾燥機能部および便器本体内の臭気を脱臭する脱臭機能部と、をケーシングおよびカバー体で形成された外装に収容して構成した衛生洗浄装置において、前記洗浄機能部の側方には、前記脱臭機能部および上部に前記脱臭機能部を設けた乾燥機能部が配置され、前記乾燥機能部および脱臭機能部の側面に前記洗浄機能部とを区画する防湿壁を形成し、少なくとも温水の温度及び温水の噴出量を制御するためのコントローラを、前記防湿壁よりも乾燥機能部および脱臭機能部側に配置させたことを特徴とする。
請求項３に記載の発明は、請求項２記載の衛生洗浄装置において、前記洗浄機能部へ温水を供給する熱交換ユニットと、前記コントローラとを、前記防湿壁を境にして区画されるように配置されていることを特徴とする。
【手続補正４】
【補正対象書類名】明細書
【補正対象項目名】０００９
【補正方法】変更
【補正の内容】
【０００９】
請求項４記載の発明は、請求項２または３記載の衛生洗浄装置において、前記脱臭機能部は、乾燥機能部下部のケーシングに開口した空気の吸気口と連通して乾燥機能部にその温風排出ダクトと区画して形成した吸気ダクトと、便座側方の袖部に開口した脱臭空気の排気口と連通し、かつ、前記吸気ダクトとは脱臭装置を介挿して連通する排気ダクトとを具備して乾燥機能部の上部に取付けるようにしたことを特徴とする。
【手続補正５】
【補正対象書類名】明細書
【補正対象項目名】００１０
【補正方法】変更
【補正の内容】
【００１０】
請求項５記載の発明は、請求項２ないし４いずれか１つに記載の衛生洗浄装置において、前記乾燥機能部は、前記脱臭機能部の吸気ダクトと併設する温風排出ダクトを備え、この温風排出ダクトの前面下部に、洗浄ノズルの先端等を洗浄する洗浄水の給水チューブと、バキュームブレーカーからの溢流水を便器本体に流下する排水チューブとを、脱落不能に配管支持する係合支持手段を具備して形成したことを特徴とする。
【手続補正６】
【補正対象書類名】明細書
【補正対象項目名】００１１
【補正方法】変更
【補正の内容】
【００１１】
請求項６記載の発明は、請求項４記載の衛生洗浄装置において、前記脱臭機能部に具備した脱臭装置は、脱臭部材を収容したゴム等弾力性に富む部材からなる収容容器を、一方の開口端を吸気ダクトに嵌合し、他方の開口端を排気ダクトに着脱自在に支着して取付けるようにしたことを特徴とする。
【手続補正７】
【補正対象書類名】明細書
【補正対象項目名】００１２
【補正方法】変更
【補正の内容】
【００１２】
請求項７記載の発明は、請求項４または６記載の衛生洗浄装置において、前記脱臭機能部の吸気ダクトの上端には、電気配線を前記吸気ダクトの壁面に沿って単独、あるいは、束ねた状態で係脱自在に掛止する掛止手段を備えたことを特徴とする。
【手続補正８】
【補正対象書類名】明細書
【補正対象項目名】００１３
【補正方法】変更
【補正の内容】
【００１３】
請求項８記載の発明は、請求項５記載の衛生洗浄装置において、前記乾燥機能部の温風排出ダクトの後背部上端には、コントローラを構成する電子回路部品とともにプリント基板に実装したサージ吸収器の保護壁を一対所定の間隔を空けて形成したことを特徴とする。
【手続補正９】
【補正対象書類名】明細書
【補正対象項目名】００１４
【補正方法】変更
【補正の内容】
【００１４】
請求項９記載の発明は、請求項８記載の衛生洗浄装置において、前記一対の保護壁間に、コントローラから延出する電気配線を介挿し、前記保護壁間において電気配線を束ねた状態で整列配線させたことを特徴とする。
【手続補正１０】
【補正対象書類名】明細書
【補正対象項目名】００１５
【補正方法】変更
【補正の内容】
【００１５】
請求項１０記載の発明は、請求項４記載の衛生洗浄装置において、前記脱臭機能部の排気ダクトには、排気口と連通する便座袖部の開口部と気密に結合する結合壁を形成したことを特徴とする。
【手続補正１１】
【補正対象書類名】明細書
【補正対象項目名】００１６
【補正方法】変更
【補正の内容】
【００１６】
請求項１１記載の発明は、請求項４記載の衛生洗浄装置において、ケーシングに開口されて前記脱臭機能部の吸気ダクトと連通する空気の吸気口は、必要に応じてフィルタあるいは閉鎖板を取外し自在に具備したことを特徴とする。